(57)【要約】【課題】    防犯性を向上させ、かつ良好な操作性を確保することができる建具を提供すること。【解決手段】下部障子３０における下框３２の室内側側面に把手本体部（第１操作部）３５１を固定し、この把手本体部３５１の突出面部の下枠側に把手操作部（第２操作部）３５２を設けたので、室外側からは施錠位置を特定することができず、ガラス破り等の不法行為を未然に防止して防犯性を向上させることができる。また、把手本体部３５１の解錠操作の方向と、下部障子３０の開放操作方向とが同一方向になっているので、施錠装置８０の解錠および下部障子３０の開移動が一連の操作で実行でき、下部障子３０の開放操作の操作性を良好にすることができる。【選択図】  図６
2006233716.tif 000002
【特許請求の範囲】
【請求項１】
上枠、下枠、および左右の縦枠を有する窓枠と、この窓枠内に開閉自在に支持された可動障子とを備え、
前記可動障子の戸先側の框材およびこの戸先側の框材に当接する前記窓枠の枠材には、当該可動障子を施錠する施錠装置が設けられ、
前記施錠装置は、前記戸先側の框材の室内側側面に沿って固定された第１操作部と、この第１操作部に支持されて操作可能に設けられた第２操作部と、この第２操作部の操作で解錠される少なくとも１つ錠部材と、この錠部材に係合可能に前記窓枠に設けられた錠受けと、を備えて構成され、
前記第１操作部は、前記戸先側の框材に沿って連続した長尺状、かつ当該框材の室内側側面から室内側に突出した突出面部を有して形成され、
前記第２操作部は、長尺状に形成されて前記第１操作部の突出面部における前記枠材側に沿い、かつ当該突出面部に向かって解錠操作可能に設けられ、
前記錠部材は、前記戸先側の框材の見込み内に設けられ、当該框材の室内側側面を通して前記第２操作部の解錠操作により解錠可能に構成されている建具。
【請求項２】
前記窓枠には、上下二段の障子が支持され、これら上下二段の障子のうちの少なくとも下側の障子が前記窓枠に上下スライド開閉自在に支持された前記可動障子であり、
前記下側の障子を施錠する施錠装置において、前記第１操作部、第２操作部、および錠部材は、前記下側の障子の下框に設けられ、前記錠受けは、前記窓枠の下枠に設けられている請求項１に記載の建具。
【請求項３】
前記錠部材は、前記錠受けに係合可能な施錠位置と係合不能な解錠位置との間を回動自在に設けられた係合部材と、この係合部材を解錠位置に向かって付勢する付勢手段と、前記施錠位置に回動された係合部材の回動を規制する規制部材とを有して構成され、前記可動障子を閉じることで、前記錠受けに当接した前記係合部材が施錠位置に回動されるとともに、前記規制部材で当該係合部材の解錠位置への回動が規制され、
前記第２操作部は、前記戸先側の框材の室内側側面に形成された挿通孔から当該框材内部に延びる延出部を有して形成され、この延出部で規制部材の規制を解除可能に構成されている請求項１または請求項２に記載の建具。
【請求項４】
前記第２操作部は、前記第１操作部の長手方向に沿った回動軸回りに回動操作可能に当該第１操作部に軸支されている請求項１から請求項３のいずれかに記載の建具。
【請求項５】
前記第１操作部には、前記突出部と前記第２操作部との間に挿入されることで当該第２操作部の解錠操作を不能にする補助錠部が設けられている請求項１から請求項４のいずれかに記載の建具。
【発明の詳細な説明】
【技術分野】
【０００１】
本発明は、建具に関し、詳しくは、窓枠と、この窓枠内に支持された可動障子とを備えた建具に関する。
【背景技術】
【０００２】
住宅等の外壁開口部に設けられる建具（サッシ窓）として、上下一対の障子を備えた上げ下げ窓が知られている（例えば、特許文献１参照）。
特許文献１に記載された上げ下げ窓は、窓枠と、この窓枠の上半分に固定された固定障子と、この固定障子の室内側に沿って上下にスライド開閉自在に設けられた室内障子（下部障子）とを備えて構成されている。そして、上げ下げ窓は、固定障子の下框（外召合せ框）に設けられたクレセント受けに、下部障子の上框（内召合せ框）に設けられたクレセント錠が係合することで、施錠されるようになっている。
【０００３】
【特許文献１】特開２００３−２７８０９号公報
【発明の開示】
【発明が解決しようとする課題】
【０００４】
しかしながら、前記特許文献１に記載の上げ下げ窓では、内外の召合せ框に設けられたクレセント錠およびクレセント受けで固定障子と下部障子とが施錠されるため、室外側からクレセント錠の位置が視認でき、この窓から室内に浸入しようとする不法行為者によってガラス破りの位置を容易に特定することができ、防犯性の点で問題がある。さらに、施錠された下部障子を開放する場合には、先ず下部障子の上框に設けられたクレセント錠を解錠操作してから、下框に設けられたハンドルを操作して下部障子を開移動させる必要があり、窓の開放操作が面倒であるとともに、小さな子供などには解錠操作が困難であるという問題もある。
【０００５】
本発明の目的は、防犯性を向上させ、かつ良好な操作性を確保することができる建具を提供することにある。
【課題を解決するための手段】
【０００６】
本発明の建具は、上枠、下枠、および左右の縦枠を有する窓枠と、この窓枠内に開閉自在に支持された可動障子とを備え、前記可動障子の戸先側の框材およびこの戸先側の框材に当接する前記窓枠の枠材には、当該可動障子を施錠する施錠装置が設けられ、前記施錠装置は、前記戸先側の框材の室内側側面に沿って固定された第１操作部と、この第１操作部に支持されて操作可能に設けられた第２操作部と、この第２操作部の操作で解錠される少なくとも１つの錠部材と、この錠部材に係合可能に前記窓枠に設けられた錠受けと、を備えて構成され、前記第１操作部は、前記戸先側の框材に沿って連続した長尺状、かつ当該框材の室内側側面から室内側に突出した突出面部を有して形成され、
前記第２操作部は、長尺状に形成されて前記第１操作部の突出面部における前記枠材側に沿い、かつ当該突出面部に向かって解錠操作可能に設けられ、前記錠部材は、前記戸先側の框材の見込み内に設けられ、当該框材の室内側側面を通して前記第２操作部の解錠操作により解錠可能に構成されていることを特徴とする。
【０００７】
ここで、建具としては、引違い窓や片引き窓等のように可動障子が左右にスライド開閉自在に設けられたものでもよく、また、上げ下げ窓のように可動障子が上下にスライド開閉可能に設けられたものでもよい。さらに、建具は、可動障子が窓枠に軸支された開き形式や、突出し形式、内倒し形式等でもよく、辷出し形式であってもよい。
また、障子としては、少なくとも１枚の可動障子を備えていればよく、室内外（左右または上下）一対の２枚の障子から構成されていてもよく、３枚以上の障子から構成されていてもよい。複数の障子を備える場合において、可動障子以外の障子は、開閉可能に構成されていてもよく、また開閉不能な固定障子であってもよい。
【０００８】
以上の本発明によれば、戸先側の框材の室内側側面に固定された第１操作部の突出部よりも枠材側、すなわち障子のガラスパネル等を通して室外側から見た場合に突出部で隠される位置に第２操作部を設けるとともに、錠部材を框材の見込み内に設けたので、室外側からは施錠装置の位置を特定することができず、ガラス破り等の不法行為を未然に防止して防犯性を向上させることができる。
また、第２操作部が第１操作部の突出部に向かって解錠操作される、つまり戸先側の框材に当接する枠材から離れる方向であって、可動障子の開放操作方向と同一方向に第２操作部が解錠操作されるので、施錠装置の解錠および可動障子の開移動が一連の操作で実行でき、当該建具の開放操作の操作性を良好にすることができる。
さらに、錠部材を戸先側の框材の見込み内に設けたことで、錠部材が目立たないようにでき、これによっても防犯性を向上させることができるとともに、建具の意匠性を良好にすることができる。また、錠部材を複数設けた場合でも、第２操作部を操作するだけで、複数の錠部材を連動させて解錠することができ、この点でも操作性を良好にすることができる。
【０００９】
この際、本発明の建具では、前記窓枠には、上下二段の障子が支持され、これら上下二段の障子のうちの少なくとも下側の障子が前記窓枠に上下スライド開閉自在に支持された前記可動障子であり、前記下側の障子を施錠する施錠装置において、前記第１操作部、第２操作部、および錠部材は、前記下側の障子の下框に設けられ、前記錠受けは、前記窓枠の下枠に設けられていることが好ましい。
このような構成によれば、前述の効果を有し、かつ少なくとも下側の障子（下部障子）が開放可能な上げ下げ窓を構成することができる。そして、下側の障子の施錠装置を構成する第１および第２の操作部が下框に設けられているので、これらの操作部に室内側から手が届きやすく、下側の障子の解錠および開放操作を容易に実行することができる。
【００１０】
さらに、本発明の建具では、前記錠部材は、前記錠受けに係合可能な施錠位置と係合不能な解錠位置との間を回動自在に設けられた係合部材と、この係合部材を解錠位置に向かって付勢する付勢手段と、前記施錠位置に回動された係合部材の回動を規制する規制部材とを有して構成され、前記可動障子を閉じることで、前記錠受けに当接した前記係合部材が施錠位置に回動されて当該錠受けに係合されるとともに、前記規制部材で当該係合部材の解錠位置への回動が規制され、前記第２操作部は、前記戸先側の框材の室内側側面に形成された挿通孔から当該框材内部に延びる延出部を有して形成され、この延出部で規制部材の規制を解除可能に構成されていることが好ましい。
このような構成によれば、錠部材の係合部材が自動的に錠受けに係合しかつ規制部材で回動が規制されるので、利用者が施錠操作しなくても閉操作を実行するだけで可動障子を施錠することができ、さらに操作性を向上させることができる。
また、第２操作部が室内側に設けられ錠部材が框材内部に設けられていても、框材の挿通孔に挿通された延出部によって、規制部材の規制を外して係合部材を解錠位置に回動させ、錠部材を解錠することができるので、錠部材を室内側からも見えないあるいは目立たないようにして建具の意匠性を向上させることができる。
【００１１】
また、本発明の建具では、前記第２操作部は、前記第１操作部の長手方向に沿った回動軸回りに回動操作可能に当該第１操作部に軸支されていることが好ましい。
このような構成によれば、長尺状の第２操作部であっても安定した操作性を確保することができる。すなわち、第２操作部をスライド自在に第１操作部に支持させてもよいが、この場合、第２操作部は、その長手方向に略直交する方向に解錠操作されるものであるため、長尺状の第２操作部を安定して操作することが困難になる。これに対して、第２操作部を、その長手方向に沿った回動軸回りに軸支する構造であれば、その解錠（回動）操作を安定させることができるとともに、軸支部の構造も簡単化することができる。
【００１２】
また、本発明の建具では、前記第１操作部には、前記突出部と前記第２操作部との間に挿入されることで当該第２操作部の解錠操作を不能にする補助錠部が設けられていることが好ましい。
このような構成によれば、補助錠部を第１操作部の突出部と第２操作部との間に挿入するだけで、第２操作部が解錠操作不能になるので、簡単な構造で二重ロックを構成することができ、防犯性をより一層向上させることができる。
【発明を実施するための最良の形態】
【００１３】
以下、本発明の実施形態を図面に基づいて説明する。
図１は、本発明の実施形態に係る建具である上げ下げ窓１を室外側から見た正面図である。図２は、上げ下げ窓１を示す縦断面図である。図３は、上げ下げ窓１を示す横断面図であって、下部障子位置における横断面図である。
図１〜図３において、上げ下げ窓１は、戸建て住宅等の建物の外壁２における開口部３に設けられて建物の室内空間と室外空間とを仕切るもので、下端位置が床面よりも所定寸法（例えば、６００mm〜９００mm）だけ高い位置に設けられた腰窓である。
【００１４】
上げ下げ窓１は、上枠１１、下枠１２、および左右の縦枠１３を四周枠組みした窓枠１０と、この窓枠１０の内側に開閉自在に支持された上部障子（上側の障子）２０および下部障子（下側の障子）３０とを備えて構成されている。窓枠１０は、開口部３周辺の柱や壁パネル等の建物躯体４に固定されている。上部障子２０および下部障子３０は、それぞれ上框２１，３１、下框２２，３２、および左右の縦框２３，３３を四周框組みした内部に、ガラスパネル（複層ガラス）２４，３４を嵌め込んで構成されている。また、窓枠１０の室外側には、外部ブラインド４０が設けられ、上部障子２０の室内側における窓枠１０には、網戸５０が取り付けられている。
【００１５】
上部障子２０および下部障子３０は、それぞれ窓枠１０の縦枠１３に案内されて上下にスライド可能に支持されるとともに、上部障子２０が下部障子３０よりも室外側に設けられている。すなわち、上部障子２０によって室外側障子が構成され、下部障子３０によって室内側障子が構成されている。そして、上部障子２０の下框（外召合せ框）２２と下部障子３０の上框（内召合せ框）３１とが見込み方向に重なって上げ下げ窓１が閉じられるようになっている。上部障子２０は、その上框２１が上枠１１に当接した閉鎖位置から、閉じた状態の下部障子３０の上框３１に上框２１が略重なる開放位置までの間を、開閉移動可能に構成されている。一方、下部障子３０は、その下框３２が下枠１２に当接した閉鎖位置から、その上框３１が上枠１１に近接する開放位置までの間を、開閉移動可能に構成されている。
【００１６】
また、上部障子２０の高さ寸法、つまり上框２１上端縁から下框２２下端縁までの長さ寸法は、下部障子３０の高さ寸法よりも小さく形成され、具体的には、上部障子２０は、下部障子３０の略半分の高さ寸法に設定されている。すなわち、下部障子３０が閉鎖位置にある状態で上部障子２０を開放位置まで全開した場合には、上部障子２０が下部障子３０の略上半分室外側に重なった状態となり、この上部障子２０の上方に開口が形成されて上げ下げ窓１が開かれるようになっている。このように、上部障子２０を下部障子３０の略半分の高さ寸法に設定したことで、上部障子２０を全開すれば、この上部障子２０の上下框２１，２２および下部障子３０の上框３１によって、窓枠１０の内部が上下に略三等分された略目の字形の外観（または内観）となり、バランスのよい良好な意匠性が得られる。
一方、上部障子２０が閉鎖位置にある状態で下部障子３０を開放位置まで全開した場合にも、下部障子３０の略上半分が上部障子２０および網戸５０の室内側に重なった状態となり、下部障子３０の下方に開口が形成されて上げ下げ窓１が開かれるようになっている。
【００１７】
次に、図４も参照して上げ下げ窓１の各部詳細について説明する。
図４は、上げ下げ窓１の下枠１２および下部障子３０の下框３２を拡大して示す縦断面図である。
下枠１２は、図４に示すように、それぞれアルミ押出形材製の室内部材１２１および室外部材１２２と、室内部材１２１と室外部材１２２とを連結する樹脂製の断熱部材１２３とを備えて形成されている。そして、室外部材１２２が建物躯体４にビス止め固定されるとともに、室内部材１２１および室外部材１２２が建物躯体４上に載置されて支持されている。室内部材１２１は、断熱部材１２３よりも上方に延びて形成されており、この室内部材１２１の上端部室外側側面には、下部障子３０の下框３２に当接して埃等の浸入を防止するモヘヤ１２１Ａが取り付けられている。一方、室外部材１２２は、室外側に向かって下がった上面部１２２Ａを有して中空状に形成されており、この上面部１２２Ａにおける下部障子３０の下框３２下方位置には、下框３２に当接して気密性を確保する気密材１２２Ｂが取り付けられている。
【００１８】
下部障子３０の下框３２は、それぞれアルミ押出形材製の室内部材３２１および室外部材３２２と、これらの室内部材３２１と室外部材３２２とを連結する樹脂製の２つの断熱部材３２３とを備えて形成されている。そして、下框３２は、上方に開口した溝状に形成されており、室内部材３２１と室外部材３２２との間に、断面略コ字形のガスケットを介してガラスパネル３４の下端縁が挟持されて支持されている。そして、室外部材３２２の下端部に気密材１２２Ｂが当接することで気密ラインが形成され、気密性が確保されるようになっている。さらに、下枠１２の断熱部材１２３および下框３２の断熱部材３２３によって、下枠１２の室内部材１２１および下框３２の室内部材３２１への外気からの熱伝導が遮断され、断熱性が確保されるようになっている。
【００１９】
下部障子３０の下框３２には、下部障子３０を開閉操作するための把手３５が設けられている。この把手３５は、下框３２の室内部材３２１に固定された把手本体部３５１と、この把手本体部３５１に支持されて操作可能に設けられた把手操作部３５２とを備えて構成され、これらの把手本体部３５１および把手操作部３５２によって後述する施錠装置（下部施錠装置）８０の第１操作部および第２操作部が構成されている。
また、下部障子３０の下框３２には、縦枠１３のレール部に挿入されるスライドシュー（スライド部材）３６（図３）が設けられており、下部障子３０の縦框３３上端部には、図示しないラッチ装置が設けられ、このラッチ装置から突出した突出片が縦枠１３のレール部に設けられた内部レール１３７（図５）に挿入されている。そして、これらのスライドシュー３６およびラッチ装置の突出片が縦枠１３のレール部および内部レール１３７に沿って案内されることで、下部障子３０が上下にスライド開閉されるようになっている。
【００２０】
次に、下部障子３０の開閉動作について、図５に基づいて説明する。
図５(Ａ)〜(Ｃ)は、下部障子３０の動作を説明する図である。
図５(Ａ)に示すように、下部障子３０が閉鎖位置にある場合には、下框３２および下枠１２に設けられた施錠装置８０（後述）によって下部障子３０が施錠されるようになっている。この施錠状態において、把手操作部３５２を操作しつつ把手３５を上方に持ち上げるように開操作すると、図５(Ｂ)に示すように、下部障子３０が開放位置まで開放でき、把手３５を下方に押し下げて下部障子３０を図５(Ａ)の閉鎖位置まで閉操作すれば、自動的に施錠できるようになっている。
【００２１】
また、下部障子３０のスライドシュー３６には、窓枠１０の上枠１１に内蔵されたバランサ（不図示）に連結されたロープが接続されており、下部障子３０は、バランサによって上方に付勢されている。バランサは、所定のばね力を発揮する定荷重ばね等を有して構成されており、このバランサのばね力がロープを介してスライドシュー３６に伝達されるようになっている。このようなバランサによる付勢力は、下部障子３０の重量に釣り合うように設定されており、下部障子３０が小さな操作力で開操作できるとともに、開放された下部障子３０が任意の位置で静止状態を維持できるようになっている。
【００２２】
一方、下部障子３０は、図５(Ｃ)に示すように、下部障子３０が所定量（例えば、１０cm程度）だけ上方に開操作された所定の開位置において、ラッチ装置の突出片と内部レール１３との係合を外せば、スライドシュー３６に設けられた回動軸を中心に上框３１側が室内側に回動（内倒し）可能に構成されている。そして、下部障子３０を内倒しすることで、ガラスパネル３４の室外面を清掃することができるようになっている。この内倒し時において下部障子３０を所定の角度で窓枠１０に支持させるために、下部障子３０には、一端が縦框３３に軸支され、他端が内部レール１３７に接続された内倒しアーム３８が設けられている。この内倒しアーム３８の他端（縦枠１３側端）には、スライドシュー３８１が連結されており、このスライドシュー３８１は、内部レール１３７に案内されて上下スライド可能になっている。そして、内部レール１３７の下端部には、端部キャップを兼ねたストッパー（位置決め部材）１３８が設けられており、このストッパー１３８にスライドシュー３８１が当接して位置決めされることで、内倒し時の下部障子３０の回動位置が規定されるようになっている。さらに、図５(Ｂ)に示す開放位置まで下部障子３０が開放された際には、スライドシュー３６がストッパー１３８の下端に当接して位置決めされ、下部障子３０の開放位置が規定されるようになっている。
【００２３】
次に、下部障子３０の施錠装置８０について、図６〜図１３に基づいて詳しく説明する。
図６は、施錠装置８０を示す斜視図である。図７は、施錠装置８０の一部を示す分解斜視図である。図８は、施錠装置８０の錠部材８２を示す斜視図である。図９(Ａ)，(Ｂ)は、錠部材８２の動作を示す側面図である。図１０(Ａ)，(Ｂ)は、施錠装置８０の解錠状態を示す正面図および断面図である。図１１(Ａ)，(Ｂ)は、施錠装置８０の施錠状態を示す正面図および断面図である。図１２(Ａ)，(Ｂ)は、施錠装置８０の解錠操作を示す正面図および断面図である。図１３は、施錠装置８０における補助錠部３５３を示す断面図である。
【００２４】
施錠装置（下部施錠装置）８０は、下枠１２に設けられた２箇所の錠受け８１と、これらの錠受け８１の受けピン８１１に係合可能に下部障子３０の下框３２見込み内に設けられた２つの錠部材８２と、前記把手本体部（第１操作部）３５１および把手操作部（第２操作部）３５２とを備えて構成されている。
把手本体部３５１は、下框３２の長手方向に沿って連続した長尺状の部材であって、下框３２の室内側側面に沿った固定面部３５１Ａと、この固定面部３５１Ａ上端縁から室内側に延びる突出面部（突出部）３５１Ｂとを有して断面略Ｌ字形に形成されている。そして、把手本体部３５１は、固定面部３５１Ａが下框３２の室内側側面にビス止め固定されている。把手操作部３５２は、把手本体部３５１に沿って長尺状の部材であって、鉛直面部３５２Ａおよび水平面部３５２Ｂを有して断面略Ｌ字形に形成されている。把手操作部３５２の水平面部３５２Ｂは、把手本体部３５１の突出面部３５１Ｂに対して所定の隙間を有して設けられ、鉛直面部３５２Ａは、把手本体部３５１の固定面部３５１Ａを固定したビスを覆って設けられ、室内側からビスが見えないようになっている。
【００２５】
把手操作部３５２は、その長手方向両端部における鉛直面部３５２Ａと水平面部３５２Ｂとの交差部分に挿入された軸支ピン（回動軸）３５２Ｃを介して把手本体部３５１に回動自在に軸支されている。これにより把手操作部３５２は、その水平面部３５２Ｂが把手本体部３５１の突出面部３５１Ｂに向かって接近するように回動操作可能に構成されている。また、軸支ピン３５２Ｃは、ばね３５２Ｄで外側に付勢されており、ばね３５２Ｄの付勢力で軸支ピン３５２Ｃが把手本体部３５１側に突出するようになっている。一方、ばね３５２Ｄの付勢力に抗して軸支ピン３５２Ｃを押し込んで軸支ピン３５２Ｃを把手操作部３５２内部に没入させることで、把手操作部３５２を把手本体部３５１に取り付けることができるようになっている。このような軸支ピン３５２Ｃを介して把手操作部３５２を把手本体部３５１に軸支したことで、室内側に軸支ピン３５２Ｃが見えず、把手３５の外観を良好にすることができる。
【００２６】
また、把手操作部３５２の鉛直面部３５２Ａ下端部における左右両端には、室外側に突出した延出部３５２Ｅが形成されている。この延出部３５２Ｅは、下框３２の室内側側面に形成された挿通孔３２１Ａに挿入されて下框３２内部に延び、錠部材８２に接続されている。
錠部材８２は、図８および図９に示すように、下框３２にビス止め固定される錠部材本体８２１と、この錠部材本体８２１に回動自在に支持された係合部材８２２と、この係合部材８２２の回動を規制する規制部材８２３と、これらの係合部材８２２および規制部材８２３を連結するコイルばね８２４とを有して構成されている。
【００２７】
錠部材本体８２１は、下方に延びた一対の垂下片８２１Ａを有して形成され、これらの垂下片８２１Ａの間に錠受け８１の受けピン８１１が挿入されることで、錠部材８２が錠受け８１に対して適正に位置するように構成されている。そして、一方（図８、９中、右側）の垂下片８２１Ａには、回動する係合部材８２２に当接して位置決めする位置決め片８２１Ｂが形成されている。
係合部材８２２は、受けピン８１１に係合可能な施錠位置（図９(Ａ)の位置）と係合不能な解錠位置（図９(Ｂ)の位置）との間を回動自在に設けられ、解錠位置において錠部材本体８２１の位置決め片８２１Ｂで位置決めされるようになっている。そして、係合部材８２２は、受けピン８１１に係合する鉤状の係合部８２２Ａと、下部障子３０の閉操作時に受けピン８１１に当接する当接部８２２Ｂと、規制部材８２３に規制される非規制部８２２Ｃと、コイルばね８２４の一端を係止するばね取付部８２２Ｄとを有して形成されている。
【００２８】
規制部材８２３は、錠部材本体８２１に回動自在に支持され、係合部材８２２の非規制部８２２Ｃに当接して係合部材８２２の回動を規制する規制部８２３Ａと、把手操作部３５２の解錠操作により延出部３５２Ｅに押圧される突出片部８２３Ｂと、コイルばね８２４の他端を係止するばね取付部８２３Ｃとを有して形成されている。そして、規制部材８２３の突出片部８２３Ｂが把手操作部３５２の延出部３５２Ｅに押圧されることで、規制部８２３Ａが上方に回動されて係合部材８２２の非規制部８２２Ｃから外れ、係合部材８２２の規制が解除されるようになっている。
また、コイルばね８２４は、係合部材８２２および規制部材８２３のばね取付部８２２Ｄ，８２３Ｃ同士を互いに近づける方向に付勢力を作用させている。すなわち、係合部材８２２を解錠位置に向かって付勢する付勢手段であるとともに、規制部８２３Ａが規制可能位置になるように規制部材８２３を付勢しているものでもある。
【００２９】
以上の施錠装置８０では、図１０および図１１に示すように、開放された状態の下部障子３０を閉操作して閉鎖位置に移動させれば、錠部材８２における係合部材８２２の当接部８２２Ｂが錠受け８１の受けピン８１１に当接し、係合部材８２２が施錠位置に回動されて係合部８２２Ａが受けピン８１１に係合し、下部障子３０が自動的に施錠されるようになっている。この際、コイルばね８２４が伸ばされ、このコイルばね８２４の付勢力で規制部材８２３の規制部８２３Ａが係合部材８２２側に付勢され、規制部８２３Ａが非規制部８２２Ｃを係止することで、係合部材８２２の解錠位置への回動が規制されている。これにより、係合部材８２２の係合部８２２Ａによる受けピン８１１の係合が外れず、下部障子３０の施錠状態が維持されるようになっている。
【００３０】
以上のようにして施錠された下部障子３０を開放する場合には、図１２に示すように、把手３５を掴んで把手操作部３５２を回動させる、つまり水平面部３５２Ｂが把手本体部３５１の突出面部３５１Ｂに近づくように上方に操作すれば、把手操作部３５２から下框３２内部に延びた延出部３５２Ｅによって、規制部材８２３の突出片部８２３Ｂが下方に押圧され、規制部８２３Ａが係合部材８２２から離れる方向に規制部材８２３が回動され、規制部８２３Ａが非規制部８２２Ｃから外れる。これにより、解錠位置への回動の規制が解除されて係合部材８２２が回動可能になるとともに、下部障子３０が上方に移動可能になって、この下部障子３０の開移動に伴って係合部材８２２の係合部８２２Ａと受けピン８１１との係合が外れて解錠される。このように解錠された下部障子３０が開操作可能になり、把手３５を上方に持ち上げるように開操作を継続することで下部障子３０が開放される。
【００３１】
一方、把手３５には、図６、図７および図１３に示すように、下部障子３０が施錠された状態において、把手操作部３５２の解錠操作を不能にする補助錠部３５３が設けられている。補助錠部３５３は、左右スライド自在に設けられた操作つまみ３５３Ａと、この操作つまみ３５３Ａを把手本体部３５１の突出面部３５１Ｂ下面に支持する取付板３５３Ｂと、取付板３５３Ｂと突出面部３５１Ｂとの間に介装されて操作つまみ３５３Ａに連結ピン３５３Ｅで連結された挿入部材３５３Ｃと、操作つまみ３５３Ａに支持されて突出面部３５１Ｂ側に付勢された球３５３Ｄとを有して構成されている。この補助錠部３５３では、操作つまみ３５３Ａをスライド操作することで、挿入部材３５３Ｃの先端部が、把手本体部３５１の突出面部３５１Ｂと把手操作部３５２の水平面部３５２Ｂとの間に挿入され、把手操作部３５２の解錠操作を規制するようになっている。そして、操作つまみ３５３Ａおよび挿入部材３５３Ｃは、付勢された球３５３Ｄが突出面部３５１Ｂ下面に形成された２つの凹部３５１Ｃのいずれかに係止されることで、解錠操作を規制する規制位置（図１３中、仮想線で示す位置）または規制しない非規制位置（図１３中、実線で示す位置）に位置決めされるようになっている。
【００３２】
このような本実施形態によれば、以下のような効果がある。
（１）すなわち、下部障子３０における下框３２の室内側側面に把手本体部３５１を固定し、この把手本体部３５１の突出面部３５１Ｂの下面側（下枠１２側）に把手操作部３５２が設けられているので、室外側からは施錠位置を特定することができず、ガラス破り等の不法行為を未然に防止して防犯性を向上させることができる。
【００３３】
（２）また、把手本体部３５１の解錠操作の方向と、下部障子３０の開放操作方向とが同一方向になっているので、施錠装置８０の解錠および下部障子３０の開移動が一連の操作で実行でき、下部障子３０の開放操作の操作性を良好にすることができる。そして、下部障子３０において手が届きやすい下框３２の把手３５によって施錠装置８０の解錠操作部を構成したことで、解錠および開放操作を容易に実行することができる。
【００３４】
（３）また、下部障子３０を閉鎖位置まで閉操作するだけで、錠部材８２の係合部材８２２が自動的に錠受け８１の受けピン８１１に係合し、かつ規制部材８２３が係合部材８２２の回動を規制するので、利用者が施錠操作しなくても閉操作を実行するだけで下部障子３０を施錠することができ、さらに操作性を向上させることができる。さらに、下部障子３０を閉操作するだけ施錠できるので、施錠し忘れることがなく、この点でも防犯性を向上させることができる。
【００３５】
（４）さらに、施錠装置８０の錠部材８２が下框３２の見込み内に設けられているので、錠部材８２が目立たないようにでき、これによっても防犯性を向上させることができるとともに、上げ下げ窓１の意匠性を良好にすることができる。そして、錠部材８２が下框３２内に設けられていても、把手操作部３５２の延出部３５２Ｅで規制部材８２３の規制を外すことができるので、意匠性を阻害することなく解錠操作が実行できる。また、従来のように召合せ框におけるクレセント錠を用いた施錠ではないので、利用者の視線位置に近い下部障子３０の上框３１に室内からの眺望を遮る余計な部材が取り付けられることがなく、快適性および意匠性をさらに良好にすることができる。
【００３６】
（５）また、把手操作部３５２が長尺状に形成され、その長手方向に沿った回動軸（軸支ピン３５２Ｃ）で把手本体部３５１に回動自在に軸支されているので、把手操作部３５２の長手方向に沿ったどこの位置であっても解錠操作可能であり、この点でも操作性を向上させることができる。さらに、長尺な把手操作部３５２に沿って２箇所に設けられた錠部材８２により施錠できるので、施錠強度を高めて防犯性を向上することができる。また、把手操作部３５２の１度の解錠操作だけで、２箇所の錠部材８２を連動させて解錠できるので、操作性をさらに良好にすることができる。
【００３７】
（６）さらに、補助錠部３５３の挿入部材３５３Ｃを把手本体部３５１の突出面部３５１Ｂと把手操作部３５２との間に挿入するだけで、把手操作部３５２が解錠操作不能になるので、簡単な構造で二重ロックを構成することができ、防犯性をより一層向上させることができる。
【００３８】
（７）さらに、召合せ框のクレセント錠で施錠する構造ではないので、下部障子３０の上框３１の位置を高くしても操作性が阻害されることがなく、下部障子３０の高さ寸法を大きく（大型化）するとともに上部障子２０の高さ寸法を小さくすることができる。従って、通風や換気のために開閉操作される上部障子２０の重量が小さくなって開閉操作が容易にでき、操作性を向上させることができる。さらに、上部障子２０の取付位置が窓枠１０のより高い位置になることから、防犯性を高めることができるとともに、室内から目立たなくなって意匠性を高めることができる。また、下部障子３０の高さ寸法が大きくなるため、室外の景観がより見えやすくなって開放感を高めることができ、居住性や快適性を一層向上させることができる。
【００３９】
なお、本発明は、前記実施形態に限定されるものではなく、本発明の目的を達成できる他の構成等を含み、以下に示すような変形等も本発明に含まれる。
例えば、前記実施形態においては、上げ下げ窓１を例示して説明したが、本発明の建具は、上げ下げ窓１に限らず、引違い窓や片引き窓等のように可動障子が左右にスライド開閉自在に設けられたものでもよい。この際、引違い窓や片引き窓においては、可動障子の戸先框および戸先框が当接する縦枠に施錠装置を設ければよく、第１および第２の操作部を戸先框に沿って上下に長尺に形成すればよい。さらに、本発明の建具は、可動障子が窓枠に軸支された開き形式や、突出し形式、内倒し形式等でもよく、辷出し形式の窓であってもよい。
また、上げ下げ窓１が上下一対の２枚の障子（上部障子２０および下部障子３０）を有して構成されていたが、これに限らず、３枚以上の障子を有して構成されていてもよい。
また、前記実施形態では、上部障子２０および下部障子３０がそれぞれ上下にスライド開閉可能に構成されていたが、これに限らず、上部障子２０が開閉不能な固定障子であってもよい。
【００４０】
また、前記実施形態では、把手本体部（第１操作部）３５１を下部障子３０の下框３２にビス止め固定したが、これに限らず、第１操作部を下框３２に一体に形成してもよい。
さらに、前記実施形態では、錠部材８２および錠受け８１を２箇所ずつに設けたが、これらの部材は、１箇所ずつでもよく、また３箇所ずつ以上設けられていてもよい。そして、錠部材８２の設置位置は、把手操作部３５２の長さ寸法内に収まっている必要はなく、把手操作部３５２から長手方向に離れた位置に設けられていてもよい。このように離れた位置に錠部材８２を設置した場合には、適宜な伝達手段（例えば、ワイヤやリンク機構、ギヤ等）を設けて把手操作部３５２の解錠操作を錠部材８２に伝達するように構成すればよい。これにより把手操作部３５２の長さ寸法に関わらず、錠部材８２および錠受け８１の設置位置を任意に設定することができるようになる。
また、錠受け８１を下枠１２ではなく縦枠１３の下端部に設けてもよく、この場合には、錠部材８２から縦枠１３側に延びるロックボルト等が錠受け８１に係合するように構成すればよい。
【００４１】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４２】
【図１】本発明の実施形態に係る建具を室外側から見た正面図である。
【図２】前記建具を示す縦断面図である。
【図３】前記建具を示す横断面図であり、下部障子位置での横断面図である。
【図４】前記建具における下枠および下部障子の下框を拡大して示す縦断面図である。
【図５】(Ａ)〜(Ｃ)は、前記下部障子の動作を説明する図である。
【図６】前記下部障子の施錠装置を示す斜視図である。
【図７】前記施錠装置の一部を示す分解斜視図である。
【図８】前記施錠装置の錠部材を示す斜視図である。
【図９】(Ａ)，(Ｂ)は、前記錠部材の動作を示す側面図である。
【図１０】(Ａ)，(Ｂ)は、前記施錠装置の解錠状態を示す正面図および断面図である。
【図１１】(Ａ)，(Ｂ)は、前記施錠装置の施錠状態を示す正面図および断面図である。
【図１２】(Ａ)，(Ｂ)は、前記施錠装置の解錠操作を示す正面図および断面図である。
【図１３】前記施錠装置における補助錠部を示す断面図である。
【符号の説明】
【００４３】
１０…窓枠、１１…上枠、１２…下枠、１３…縦枠、２０…上部障子、３０…可動障子である下部障子、３２…下框、３５…把手、８０…施錠装置、８１…錠受け、８２…錠部材、３２１Ａ…挿通孔、３５１…第１操作部である把手本体部、３５１Ｂ…突出面部、３５２…第２操作部である把手操作部、３５２Ｃ…回動軸である軸支ピン、３５２Ｅ…延出部、３５３…補助錠部、８２２…係合部材、８２３…規制部材、８２４…付勢手段であるコイルばね。
【図１】
2006233716.tif 000003
【図２】
2006233716.tif 000004
【図３】
2006233716.tif 000005
【図４】
2006233716.tif 000006
【図５】
2006233716.tif 000007
【図６】
2006233716.tif 000008
【図７】
2006233716.tif 000009
【図８】
2006233716.tif 000010
【図９】
2006233716.tif 000011
【図１０】
2006233716.tif 000012
【図１１】
2006233716.tif 000013
【図１２】
2006233716.tif 000014
【図１３】
2006233716.tif 000015